(57)【特許請求の範囲】
【請求項１】
底部に集砂ピットを備えた沈砂池であって、該沈砂池の底部に給水ノズルから水を吐出して前記沈砂池に堆積した土砂を前記集砂ピットに集める沈砂池の集砂装置において、
前記沈砂池は、その下流側にポンプ井を配置した下水処理設備のものであって、該下水処理設備は、前記ポンプ井から下水をくみ出して前記沈砂池の底部に下水を吐出する第１のポンプを備え、
前記沈砂池の底部は沈砂池の流れと直交する小トラフを有し、
前記給水ノズルは前記第１のポンプにつながれて前記沈砂池の側壁に沿った位置に設置され、
該給水ノズルからの水の吐出圧は３kg/cm2未満であることを特徴とする沈砂池の集砂装置。
【請求項２】
底部に集砂ピットを備えた沈砂池であって、該沈砂池の底部に給水ノズルから水を吐出して前記沈砂池に堆積した土砂を前記集砂ピットに集める沈砂池の集砂装置において、
前記沈砂池の底部に前記給水ノズルから水を吐出する第１のポンプと、前記集砂ピット内から水をくみ出す第２のポンプを備え、
前記沈砂池の底部は沈砂池の流れと直交する小トラフを有し、
前記給水ノズルは、前記沈砂池の側壁に沿った位置に設置され、
前記集砂ピット内から水をくみ出す第２のポンプでくみ出した水をろ過した後、前記給水ノズルに還流させるとともに、該給水ノズルからの水の吐出圧は３kg/cm2未満であることを特徴とする沈砂池の集砂装置。
【請求項３】
底部に集砂ピットを備えた沈砂池であって、該沈砂池の底部に給水ノズルから水を吐出して前記沈砂池に堆積した土砂を前記集砂ピットに集める沈砂池の集砂装置において、
前記沈砂池内の底部は、複数の領域に区分され、該複数の領域にはそれぞれ沈砂池の流れと直交する小トラフを有し、
前記給水ノズルは、前記沈砂池の側壁に沿った位置に設置され、
前記複数の領域においては、各領域毎に前記給水ノズルから順次水を吐出してその領域の土砂を前記小トラフを介して移送させる移送制御手段を備え、
前記給水ノズルからの水の吐出圧は３kg/cm2未満であることを特徴とする沈砂池の集砂装置。
【請求項４】
底部に集砂ピットを備えた沈砂池であって、該沈砂池の底部に水を吐出することで前記沈砂池に堆積した土砂を前記集砂ピットに集める沈砂池の集砂方法において、
前記沈砂池の底部には、沈砂池の流れと直交する小トラフ及び複数の給水ノズル有し、
前記沈砂池はその下流側にポンプ井を配置した下水処理設備のものであって、前記沈砂池底部への水の吐出は前記ポンプ井からくみ出した下水を供給するとともに、前記給水ノズルから吐出される水の吐出圧を３kg/cm2未満とすることにより沈砂池の底部に堆積する土砂を前記小トラフを介して前記集砂ピットに集めることを特徴とする沈砂池の集砂方法。
【請求項５】
底部に集砂ピットを備えた沈砂池であって、該沈砂池の底部に水を吐出することで前記沈砂池に堆積した土砂を前記集砂ピットに集める沈砂池の集砂方法において、
前記沈砂池内の底部は、複数の領域に区分され、前記複数の領域には沈砂池の流れと直交する小トラフ及び複数の給水ノズルを有し、
前記給水ノズルから吐出される水の吐出圧を３kg/cm2未満として順次各領域毎に水を吐出させてその領域の土砂を前記小トラフを介して前記集砂ピットに集めることを特徴とする沈砂池の集砂方法。
【請求項６】
揚砂ポンプを用いて集砂ピットから砂と水をくみ出し、くみ出した水をろ過した後、沈砂池の底部に設置された給水ノズルに環流させ、前記沈砂池に堆積した土砂を前記集砂ピットに集める沈砂池の集砂方法において、
前記沈砂池の底部には、沈砂池の流れと直交する小トラフ及び複数の給水ノズルを有し、
前記給水ノズルから吐出される水の吐出圧を３kg/cm2未満とすることにより沈砂池の底部に堆積する土砂を前記小トラフを介して前記集砂ピットに集めることを特徴とする沈砂池の集砂方法。
【発明の詳細な説明】
【０００１】
【発明の属する技術分野】
この発明は、下水処理設備の沈砂池に沈澱した土砂を沈砂池の底部に設けた集砂ピットに集めるための集砂装置及び集砂方法に関するものである。
【０００２】
【従来の技術】
沈砂池は、終末処理場等の下水処理設備に設置され，下水中の土砂を沈澱除去するものであるので、沈砂池の使用に伴い，その底には土砂が堆積する。
【０００３】
そのため、沈砂池においては、適宜の時期にその沈砂池の底に堆積した土砂を外部に排出することが必要となり、沈砂池内に堆積した土砂は集砂ピットに集めて各種の揚砂装置により沈砂池外に排出されるようになっている。
【０００４】
ところで、堆積した土砂を集砂ピットに集めるための，従来の集砂装置には、例えば沈砂池の下流側に配置されるポンプ井に貯留された下水を、沈砂池内で下水中に位置したノズルから噴射させて土砂を移動させるものがあり、沈砂池の底部に広く沈澱した土砂を集砂ピットに集めることができる。
【０００５】
しかし、かかる従来の集砂装置においては、下水の貯溜された沈砂池の底部に堆積された土砂を水圧に打ち勝って移動させることが必要であるので、ノズルからの下水の吐出圧が高圧になっている。
【０００６】
【発明が解決しようとする課題】
従来のこの種の集砂装置において、前記ノズルから下水を高圧で噴射させると、下水のミストが発生し、また沈砂池内に貯溜された下水が撹拌されるので、土砂が拡散されるのみならず、悪臭の原因となっている。
【０００７】
この発明は、このような事情に基づいてなされたもので、水を用いて沈砂池に堆積した土砂を集砂ピットに集めるものでありながら、下水ミストの拡散の少ない集砂装置及び集砂方法を提供することを目的とするものである。
【０００８】
【課題を解決するための手段】
この目的を達成するために、請求項１記載の発明は、底部に集砂ピットを備えた沈砂池であって、該沈砂池の底部に給水ノズルから水を吐出して前記沈砂池に堆積した土砂を前記集砂ピットに集める沈砂池の集砂装置において、前記沈砂池は、その下流側にポンプ井を配置した下水処理設備のものであって、該下水処理設備は、前記ポンプ井から下水をくみ出して前記沈砂池の底部に下水を吐出する第１のポンプを備え、前記沈砂池の底部は沈砂池の流れと直交する小トラフを有し、前記給水ノズルは前記第１のポンプにつながれて前記沈砂池の側壁に沿った位置に設置され、該給水ノズルからの水の吐出圧は３kg/cm2未満であることを特徴とする沈砂池の集砂装置である。
【０００９】
請求項２記載の発明は、底部に集砂ピットを備えた沈砂池であって、該沈砂池の底部に給水ノズルから水を吐出して前記沈砂池に堆積した土砂を前記集砂ピットに集める沈砂池の集砂装置において、前記沈砂池の底部に前記給水ノズルから水を吐出する第１のポンプと、前記集砂ピット内から水をくみ出す第２のポンプを備え、前記沈砂池の底部は沈砂池の流れと直交する小トラフを有し、
前記給水ノズルは、前記沈砂池の側壁に沿った位置に設置され、前記集砂ピット内から水をくみ出す第２のポンプでくみ出した水をろ過した後、前記給水ノズルに還流させるとともに、該給水ノズルからの水の吐出圧は３kg/cm2未満であることを特徴とする沈砂池の集砂装置である。
【００１０】
請求項３記載の発明は、底部に集砂ピットを備えた沈砂池であって、該沈砂池の底部に給水ノズルから水を吐出して前記沈砂池に堆積した土砂を前記集砂ピットに集める沈砂池の集砂装置において、前記沈砂池内の底部は、複数の領域に区分され、該複数の領域にはそれぞれ沈砂池の流れと直交する小トラフを有し、前記給水ノズルは、前記沈砂池の側壁に沿った位置に設置され、前記複数の領域においては、各領域毎に前記給水ノズルから順次水を吐出してその領域の土砂を前記小トラフを介して移送させる移送制御手段を備え、前記給水ノズルからの水の吐出圧は３kg/cm2未満であることを特徴とする沈砂池の集砂装置である。
【００１１】
請求項４記載の発明は、底部に集砂ピットを備えた沈砂池であって、該沈砂池の底部に水を吐出することで前記沈砂池に堆積した土砂を前記集砂ピットに集める沈砂池の集砂方法において、前記沈砂池の底部には、沈砂池の流れと直交する小トラフ及び複数の給水ノズル有し、前記沈砂池はその下流側にポンプ井を配置した下水処理設備のものであって、前記沈砂池底部への水の吐出は前記ポンプ井からくみ出した下水を供給するとともに、前記給水ノズルから吐出される水の吐出圧を３kg/cm2未満とすることにより沈砂池の底部に堆積する土砂を前記小トラフを介して前記集砂ピットに集めることを特徴とする沈砂池の集砂方法である。
【００１２】
請求項５記載の発明は、底部に集砂ピットを備えた沈砂池であって、該沈砂池の底部に水を吐出することで前記沈砂池に堆積した土砂を前記集砂ピットに集める沈砂池の集砂方法において、前記沈砂池内の底部は、複数の領域に区分され、前記複数の領域には沈砂池の流れと直交する小トラフ及び複数の給水ノズルを有し、前記給水ノズルから吐出される水の吐出圧を３kg/cm2未満として順次各領域毎に水を吐出させてその領域の土砂を前記小トラフを介して前記集砂ピットに集めることを特徴とする沈砂池の集砂方法である。
【００１３】
請求項６記載の発明は、揚砂ポンプを用いて集砂ピットから砂と水をくみ出し、くみ出した水をろ過した後、沈砂池の底部に設置された給水ノズルに環流させ、前記沈砂池に堆積した土砂を前記集砂ピットに集める沈砂池の集砂方法において、  前記沈砂池の底部には、沈砂池の流れと直交する小トラフ及び複数の給水ノズルを有し、前記給水ノズルから吐出される水の吐出圧を３kg/cm2未満とすることにより沈砂池の底部に堆積する土砂を前記小トラフを介して前記集砂ピットに集めることを特徴とする沈砂池の集砂方法である。
【００１４】
いずれの発明においても、水の吐出圧を３kg/cm2未満とすることにより沈砂池の底部に堆積する土砂を前記小トラフを介して前記集砂ピットに集めることにより、従来のようにノズルから吐出する水が沈砂池中の下水を撹拌することがなく汚臭の発生が軽減される。
【００１７】
これにより、水を用いて沈砂池に堆積した土砂を集砂ピットに集めることのできる集砂装置及び集砂方法が提供される。
【００１８】
【発明の実施の形態】
以下、この発明の実施の形態を図面に示す実施例によりこの発明を説明するが、まず図１から図８によって第１実施例を説明する。
【００１９】
この実施例は、終末処理場内のポンプ場における雨水処理設備に適用したものである。
【００２０】
この実施例の雨水処理設備１は、図１に示すように、第１の雨水沈砂池２と第２の雨水沈砂池３とを有するもので、これらの２つの雨水沈砂池２，３は上流側の流入渠（不図示）と後述のポンプ井４との間に並列に配置されている。
【００２１】
なお、これらの雨水沈砂池２，３は同様に構成されているので、以下の沈砂池の構造説明は第１の雨水沈砂池２のみについて行なうこととする。
【００２２】
すなわち、第１の雨水沈砂池２を経由する雨水処理設備１は、不図示の流入渠の下流側に不図示のゲートを介して第１の雨水沈砂池２が接続され、この第１の雨水沈砂池２の下流側が、雨水ポンプ５を備えたポンプ井４に接続されてその全体が構成されている（図２参照）。
【００２３】
そして、前記不図示のゲートの下流側で、第１の雨水沈砂池２の直近となる上流側の位置には、ダム装置６が設置されている。
【００２４】
このダム装置６は例えば気密性を備えたナイロン織布からなる袋体であって、その袋体を膨張・収縮させることにより数分程度で起伏動作が可能であり、このダム装置６を起立させることにより上流側からの雨水等の下水が第１の雨水沈砂池２へ侵入することを防止し、このダム装置６を倒伏させることによって雨水を第１の雨水沈砂池２に導びくものである。なお、図中Ｌ1はダム装置６による最高水位である。
【００２５】
このダム装置６の下流側に設置された第１の雨水沈砂池２の底部７の中央部には集砂ピット８が形成され、この集砂ピット８内には揚砂ポンプ１１が設置されており、この揚砂ポンプ１１はこの発明の第２のポンプに該当するものである（図３）。
【００２６】
なお、この発明の第２のポンプを前記揚砂ポンプ１１等の揚砂装置と別個に設置することとしても本願発明を実施することができる。
【００２７】
集砂ピット８は、この第１の雨水沈砂池２内で雨水から分離して底部７の全体にわたって沈澱された土砂を集め、ここからその土砂を第１の雨水沈砂池２の外部に排出するためのものである。
【００２８】
そのため、集砂ピット８が第１の雨水沈砂池２の底部７において最深部となり、底部７の全体的形状は前記集砂ピット８に向けて周囲の底部７が深くなるように傾斜して形成されている。
【００２９】
この底部７の形状を具体的に説明すると、次のようである。
【００３０】
すなわち、この実施例の第１の雨水沈砂池２の底部７においては、雨水沈砂池２の長さ方向の中央部分に底部７を幅方向に横断する第１のトラフ１２が形成され、雨水沈砂池２の幅方向の中央部分には第２のトラフ１３が形成されており、これらの第１および第２のトラフ１２，１３の交差部分に前記集砂ピット８が形成されている（図３）。
【００３１】
前記第１のトラフ１２において、前記集砂ピット８の両側の部分はともに集砂ピット８側が深くなるように傾斜されており（図６参照）、前記第２のトラフ１３においても集砂ピット８の両側の部分が同様に集砂ピット８側が深くなるように傾斜されている（図４参照）。
【００３２】
そして、第１の雨水沈砂池２の底部７は、このような第１のトラフ１２と第２のトラフ１３とによって４つの領域に区分されており、この底部７に形成されたこれらの各領域は、図３において前記第２のトラフ１３より下方に示され，前記第１のトラフ１２より上流側の領域を領域Ａといい、第１のトラフ１２より下流側の領域を領域Ｂという。
【００３３】
また、同図において、第２のトラフ１３より上方に示され，前記第１のトラフ１２より上流側の領域を領域Ｃといい、第１のトラフ１２より下流側の領域を領域Ｄということとする。
【００３４】
これらの領域Ａ，Ｂ，Ｃ，Ｄにおいて、底部７の表面は、概ね前記第１のトラフ１２と第２のトラフ１３との双方の傾斜に沿って傾斜した平面であり、したがって各領域の底部７の表面はいずれもその最大傾斜線をおよそ前記集砂ピット８側に向けたものとなっている。
【００３５】
そして、これらの各領域の底部７の表面には、それぞれ前記第１のトラフ１２と平行に多数の小トラフ１４が形成されており、これらの小トラフ１４の間となる底部７の表面上には、この雨水沈砂池２の側壁に沿った位置にそれぞれ対応して給水ノズル１５が設置されている。
【００３６】
これは、個々の給水ノズル１５からの水が隣接した給水ノズル１５からの水と衝突し互いに干渉することによって底部７の洗浄機能を損なわないためであり、後述するように，底部７の全体に堆積した土砂をこれらの給水ノズル１５からの水により前記小トラフ１４，第２のトラフ１３を経て前記集砂ピット８に集めるものとして個々の給水ノズル１５の洗浄すべき領域を分担させるためである。
【００３７】
また、この実施例において、前記集砂ピット８に設置される揚砂ポンプ１１は、土砂混じりの水を吸引することのできる，いわゆる水中サンドポンプであって、この実施例ではスクリュー渦巻式水中ポンプである。
【００３８】
このような雨水沈砂池２の下流端部には、公知の雨水沈砂池と同様にろ格機１６が設置され、さらにその下流側に前記ポンプ井４が設置されている（図２参照）。
【００３９】
このポンプ井４は、前記のような第１の雨水沈砂池２および第２の雨水沈砂池３で土砂を分離した雨水等の下水を、排水ポンプである雨水ポンプ５により放流渠にくみ出して排水するものであり、ポンプ井４の底部１７を前記沈砂池２の底部７より低く設定して、雨水ポンプ５に十分な水深を与え，排水動作の円滑を図るようになっている。
【００４０】
そして、この実施例においては、このポンプ井４に前記雨水ポンプ５とは別に滞溜水ポンプ１８が設置されている。
【００４１】
この滞溜水ポンプ１８はこの発明でいう第１のポンプに該当するものであり、後述するようにこの滞溜水ポンプ１８による水を前記給水ノズル１５に導き、沈砂池２，３内に堆積した土砂の集砂が行なわれる。なお、この滞溜水ポンプ１８により各給水ノズル１５から吐出される水量は、前記揚砂ポンプ１１の吐出量よりも小さく設定されたものであり、またその吐出圧は3kg/cm2より低圧とされている。これは、各給水ノズル１５からの水の吐出圧が3kg/cm2より高圧となると幾分かは下水ミストを生じることとなるからである。
【００４２】
以上のような雨水処理設備１において、第１および第２の雨水沈砂池２，３での堆積した土砂を排出するための除砂装置は、図１に示すとおりである。
【００４３】
前記滞溜水ポンプ１８の吐出側には、第１の雨水沈砂池２に給水を行なう第１の給水系２１と，第２の雨水沈砂池３に給水を行なう第２の給水系２２とが並列に接続されており、前記滞溜水ポンプ１８を汚水沈砂池２３に接続するリリーフ回路２４が設けられている。
【００４４】
この第１の給水系２１と第２の給水系２２とは同様の回路構成であるため、以下においては第１の給水系２１について説明を行い第２の給水系２２についての説明は省略する。なお、図１において、第２の給水系２２の該当部分には第１の給水系２１の対応部分の参照番号にダッシュを付して示す。
【００４５】
前記滞溜水ポンプ１８からの管路が第１の給水系２１に分岐された後、管路はさらに５つに分岐され、この５つの分岐管には電動弁からなる集砂弁がそれぞれ設置されている。
【００４６】
第１の集砂弁２５は前記領域Ａの給水ノズル１５群への給水を、第２の集砂弁２６は前記領域Ｂの給水ノズル１５群への給水を断続するものである。第３の集砂弁２７は前記第１および第２のトラフ１２，１３に設置された給水ノズル１５への給水を断続するもので、第４の集砂弁２８は領域Ｄの給水ノズル１５群，第５の集砂弁２９は領域Ｃの給水ノズル１５群への給水を断続するものである。
【００４７】
なお、前記揚砂ポンプ１１の吐出側から延びる管路３１は汚水沈砂池２３に導かれ、雨水沈砂池２，３から排出した土砂は汚水沈砂池２３に送られるようになっている。
【００４８】
このような除砂装置は、不図示のマイクロコンピュータによって制御されており、集砂動作をスタートさせると、例えば図７，図８に示す手順にしたがってその動作を行なう。
ステップ１
まず、第１および第２の雨水沈砂池２，３のそれぞれに設置されたダム装置６（図７において、ダム１号，ダム２号と記す）に不図示のコンプレッサからの圧縮空気を供給して起立状態とする。これによって、各雨水沈砂池２，３への下水等の侵入が防止される。
ステップ２
次に、滞溜水ポンプ切換弁１９を開く。滞溜水ポンプ１８からの水を汚水沈砂池２３に移送する準備である。
ステップ３
滞溜水ポンプ１８の運転を開始する。これによって、ポンプ井４内の雨水を汚水沈砂池２３に移送して沈砂池２内に貯溜されている雨水量を軽減し，同時にポンプ井４内に貯溜された雨水等の下水の水面高さを調節する。
ステップ４
ポンプ井４中の雨水等の下水の水面高さが所要の高さＬ2となると、滞溜水ポンプ１８の運転が停止する。
ステップ５
ステップ４で第１の沈砂池２内の雨水量が軽減され，かつポンプ井４内の雨水等の下水の水面高さの調節が完了したので、下水の汚水沈砂池２３への移送が不要となり滞溜水ポンプ切換弁１９を閉とする。
ステップ６
ステップ５で準備が完了したので、ステップ６において、後から詳しく説明する第１の雨水沈砂池２での所定の除砂動作が行なわれる（図８参照）。
ステップ７
ステップ６において第１の沈砂池２の除砂動作が完了すると、これに続いて第２の雨水沈砂池３の除砂動作を行なう。なお、この第２の雨水沈砂池３の除砂動作は第１の雨水沈砂池２における除砂動作と同様であるので詳述しない。
ステップ８
ステップ７で第２の雨水沈砂池３における除砂動作が完了すると、滞溜水ポンプ切換弁１９を開く。ステップ９でのポンプ井４からの下水移送の準備動作である。
ステップ９
この後、滞溜水ポンプ１８の運転を開始し、ポンプ井４に残留する下水を汚水沈砂池２３に移送する。
【００４９】
これは、ポンプ井４中に雨水等の下水が滞溜したままとしておくと、滞溜水が腐敗して悪臭を生じるので、これを軽減するためである。
ステップ１０
ポンプ井４内の雨水等が所定の少量にまで減少した後、滞溜水ポンプ１８の運転を停止する。
【００５０】
これにより、ポンプ井４内がドライ化され、悪臭の発生が軽減される。
ステップ１１
ステップ１０でポンプ井４内がドライ化された後、滞溜水ポンプ切換弁１９を閉じる。
【００５１】
そして、前記ステップ６において行なわれる第１の雨水沈砂池処理の具体的内容は、図８に示すとおりである。
ステップ１０１
第１の雨水沈砂池２の処理に入ると、まず、第１の雨水沈砂池２に設置された揚砂ポンプ１１の自動運転が開始する。
【００５２】
この揚砂ポンプ１１は、第１の雨水沈砂池２内に滞溜する水の水面が集砂ピット８内に位置した排水状態に維持するものであって、その集砂ピット８内の水位が一定以上の場合には自動的に運転を行い，水位がそれより低くなるとその運転が自動的に停止するものである。
【００５３】
この自動運転による揚砂ポンプ１１の駆動が停止し、集砂ピット８中の水位が一定より低くなった後、ステップ１０２にすすむ。
ステップ１０２
ステップ１０２においては、第３の集砂弁２７を開き、滞溜水ポンプ１８の駆動準備を行なう。
ステップ１０３
ステップ１０３で滞溜水ポンプ１８の運転を開始する。これによって、第１および第２のトラフ１２，１３の外側端部に配置された各給水ノズル１５から比較的低圧（例えば1kg/cm2）で水が吐出され、前記第１および第２のトラフ１２，１３中に堆積された土砂が集砂ピット８に移送される。
【００５４】
これにともなって、前記集砂ピット８の水位が上昇するので、前記揚砂ポンプ１１は適宜駆動を開始し、集砂ピット８に集められた土砂は汚水沈砂池２３に移送される。
【００５５】
そして、前記滞溜水ポンプ１８の吐出量が揚砂ポンプ１１の吐出量より小さいので、揚砂ポンプ１１は集砂ピット８内の水位が所定の位置に低下した時点に自動的にその停止を行なう。
【００５６】
なお、揚砂ポンプ１１のこのような動作は以下の各ステップにおいてもフローチャートとは独立して自動的に行なわれるものである。
ステップ１０４
ステップ１０３の後、第１の集砂弁２５を開く。これによって、領域Ａに堆積された土砂は、給水ノズル１５群からの給水により底部７の表面から洗い流され、前記小トラフ１４および第２のトラフ１３を経て集砂ピット８に集められ、揚砂ポンプ１１で排出される。
ステップ１０５
時間Ｔ1の経過後、第１の集砂弁２５を閉じ、第２の集砂弁２６を開く。
【００５７】
この時間Ｔ1は、前記領域Ａに堆積した土砂を洗い流すのに要する時間であり、例えば１分程度であるが、堆積した土砂量に応じて適宜調節することが好ましい。
ステップ１０６
時間Ｔ2の経過後、第２の集砂弁２６を閉じ、第４の集砂弁２８を開く。時間Ｔ2は領域Ｂに堆積した土砂を洗い流すのに必要な時間である。
ステップ１０７
時間Ｔ3の経過後、第４の集砂弁２８を閉じ、第５の集砂弁２９を開く。時間Ｔ3は領域Ｄに堆積した土砂を洗い流すのに必要な時間である。
ステップ１０８
時間Ｔ4の経過後、第５の集砂弁２９を閉じる。時間Ｔ4は領域Ｃに堆積した土砂を洗い流すのに必要な時間である。
ステップ１０９
時間Ｔ5の経過後、滞溜水ポンプ１８の駆動を停止させ、第３の集砂弁２７を閉じる。
ステップ１１０
時間Ｔ6経過後、前記揚砂ポンプ１１の自動運転を解除してその駆動を停止させて第１の沈砂池２の処理を終了する。
【００５８】
時間Ｔ6は、底部７に付着した雨水等が集砂ピット８まで流れ落ち、第１の雨水沈砂池２を確実に排水するための時間である。
【００５９】
かかる実施例の除砂装置において、前記領域Ａの給水ノズル１５群と領域Ｃの給水ノズル１５群，および前記領域Ｂの給水ノズル１５群と領域Ｄの給水ノズル１５群とは水の吐出方向が互いに向き合った位置関係に配置され、両者の領域に堆積された土砂の流路として第２のトラフ１３が共用される関係になっている。
【００６０】
そのため、この実施例では図８の雨水沈砂池の処理内容のフローチャートに示されるように、各領域毎にステップ１０５〜ステップ１１０に示される移送制御手段に基づいて順に給水を行なうこととして、土砂による前記第２のトラフ１３のつまりを防止し、揚砂ポンプ１１の負担を平準化させることにより、前記第２のトラフ１３や揚砂ポンプ１１の能力が比較的小さいものであっても円滑に集砂できるようにしたものである。
【００６１】
なお、以上説明した実施例においては、前記時間Ｔ1〜Ｔ6をそれぞれ異なる最適の数値のものとすることが好ましいが、一律に一定値として制御を簡素化することとしてもよい。
【００６２】
また、以上説明した実施例において、前記各領域となる底部７はそれぞれ概ね平面状に形成されたものであるが、これに限らず、例えば図９に断面を示すように、各領域をそれぞれ階段状に細分化して形成し、各段部７ａ毎に給水ノズル１５群を配置することとしてもよい。
【００６３】
なお、図９は図５に相当する断面図であり、前記以外の構造は前記実施例と同様であるので説明を繰り返さない。
【００６４】
このような変形例においては、各段部７ａ上に堆積した土砂は、その段部７ａに対応して設置された給水ノズル１５からの水で下側の次の段部７ａまで洗い落とすこととすれば、各給水ノズル１５による土砂の移送距離が小さいので、順次下側の段部７ａの給水ノズル１５に給水することによって少量で低圧の水で第２のトラフ１３に土砂を移送することができる。
【００６５】
次に、図１０により、第２実施例を説明する。
【００６６】
この第２実施例は、揚砂ポンプ１１により第１，第２の雨水沈砂池２，３から排出された土砂を、汚水沈砂池２３に移送せず、土砂分離装置（沈砂分離装置）３１に移送して、分離した土砂をホッパ装置３４を経て搬出処分するとともに、前記沈砂分離装置３１で分離した水をフィルタ装置３２等でろ過して水槽３３に回収して、前記ポンプ井４からの水Ｗと併せて圧送ポンプ３５により再度給水ノズル１５からの給水に使用するものである。
【００６７】
この第２実施例において、圧送ポンプ３５はこの発明でいう第１のポンプに該当し、この圧送ポンプ３５の吐出量や吐出圧力は、前記した第１実施例での滞溜水ポンプ１８と同様の条件を満たすものである。
【００６８】
したがって、この第２実施例の場合には、揚砂ポンプ１１でくみ出した水を循環使用するので、底部７に沈澱した土砂の回収に必要となる水量が少量で済む。そのため、この第２実施例においては、水Ｗとしてポンプ井４からの水に限らず工業用水等を用いても経費がそれほど高価にならない利点がある。
【００６９】
なお、この第２実施例においては、沈砂分離装置３１とは別にフィルタ装置３２を設置してあるが、沈砂分離装置３１にはフィルタ３１ａが内蔵されているので、場合により、前記フィルタ装置３２の設置を省略することが可能である。
【００７０】
【発明の効果】
以上説明したように、本発明によれば、水を用いて沈砂池に堆積した土砂を集砂ピットに集めるものでありながら、下水ミストの拡散の少ない集砂装置及び集砂方法を提供することができる。
【図面の簡単な説明】
【図１】第１実施例の除砂装置の全体回路説明図である。
【図２】第１実施例の雨水処理設備の概略断面図である。
【図３】雨水沈砂池の平面図である。
【図４】雨水沈砂池の要部を拡大した断面図である。
【図５】図４のＰ−Ｐ線に沿う断面図である。
【図６】図４のＱ−Ｑ線に沿う断面図である。
【図７】第１実施例の除砂装置の全体動作のフローチャートである。
【図８】第１の雨水沈砂池の処理内容のフローチャートである。
【図９】第１実施例の底部の変形例を示す断面図である。
【図１０】第２実施例の全体概略システム図である。
【符号の説明】
２  第１の雨水沈砂池
３  第２の雨水沈砂池
７  底部
８  集砂ピット
１１  揚砂ポンプ（第２のポンプ）
１５  給水ノズル
１８  滞溜水ポンプ（第１のポンプ）
【図１】
0003708443.tif 000002
【図２】
0003708443.tif 000003
【図３】
0003708443.tif 000004
【図４】
0003708443.tif 000005
【図５】
0003708443.tif 000006
【図６】
0003708443.tif 000007
【図７】
0003708443.tif 000008
【図８】
0003708443.tif 000009
【図９】
0003708443.tif 000010
【図１０】
0003708443.tif 000011